(57)【要約】【課題】浴槽や貯水槽の水を、複数に分岐した排水管を介して、洗濯機の洗濯槽や水洗トイレ集水タンクや消火栓に供給して、有効に利用することができる排水供給装置を提供する。【解決手段】。浴槽や貯水槽に排水汲み上げ用の水中ポンプの吸込み部を接続すると共に、同水中ポンプの吐出部には複数（少なくとも二方向以上）に分岐した排水管に逆止弁や止水弁やフロートセンサーを取付け、同排水管の各吐出部には排水を利用する洗濯機の洗濯槽や水洗トイレ集水タンクや消火栓に接続してなることを特徴とする排水供給装置。【選択図】  図１
0003115273.tif 000002
【実用新案登録請求の範囲】
【請求項１】
浴槽や貯水槽からなる集水槽と、同集水槽に吸込み部が接続される排水汲み上げ用の水中ポンプと、同水中ポンプの吐出部に一端が接続され中途で複数方向（少なくとも二方向以上）に分岐し、分岐した一側の途中には止水弁を、他側の途中には逆止弁やフロートセンサーを有する排水管と、同排水管の各吐出部には排水を利用する洗濯機の洗濯槽や水洗トイレ集水タンクや消火栓に接続されてなることを特徴とする排水供給装置。
【請求項２】
前記集水槽の外部に配置して同集水槽に吸込み部が接続される前記汲み上げ用の水中ポンプが、同水中ポンプの吐出部に一端が接続され中途で二方向に分岐して他端の片側にはフロートを介して作動するエアー抜き弁と同他端の他側には逆止弁を組み合わせた排水口とを有する排出管と、前記排出管の吐出部と二方向の分岐部との中途にエアー抜き穴を設けて前記ポンプの吸い込み部に連通させたことを特徴とする請求項１に記載の排水供給装置。
【請求項３】
前記消火栓の開閉は手動若しくはフロートセンサーで制御することを特徴とする請求項１に記載の排水供給装置。
【考案の詳細な説明】
【技術分野】
【０００１】  本考案は、家庭内の風呂、台所、洗面台等から排出される排水や貯水槽の貯留水を水洗トイレの洗浄水や洗濯用水、その他、消火水として分配供給する排水供給装置に関する。
【技術背景】
【０００２】水資源の有効利用が求められるなか、家庭内等から排出される排水の再利用が検討されており、特許文献１には、風呂の残り水を洗濯用水及び水洗トイレの洗浄水として再利用するための装置が開示されている。
【０００３】また、本願出願人は、特開２００４−２０４６６４において、残り水（排水）がなくなったときに、水道水への自動切換えを行うようにした排水再利用装置を提案した。
【０００４】
【特許文献１】特開平１０−２０４９４２号公報
【考案が解決しようとする課題】
【０００５】しかしながら、上述の特開平１０−２０４９４２号公報に開示された技術は、風呂の浴槽と残り水を洗濯用水及び水洗トイレの洗浄水として再利用する洗濯機や水洗トイレの排水通路の途中に貯水タンクを設ける必要がある。
【０００６】そこで、本考案が解決しようとする課題は、排水通路の途中に設ける貯水タンクを不要にして、家庭内の風呂、台所、洗面台等から排出される排水や貯水槽の貯留水を水洗トイレの洗浄水や洗濯用水その他、消火水として分配供給する排水供給装置を提供することにある。
【課題を解決するための手段】
【０００７】  上記課題を解決するために、本考案の排水供給装置は、浴槽や貯水槽からなる集水槽と、同集水槽に吸込み部が接続される排水汲み上げ用の水中ポンプと、同水中ポンプの吐出部に一端が接続され中途で複数方向（少なくとも二方向以上）に分岐し、分岐した一側の途中には止水弁を、他側の途中には逆止弁を有する排水管と、同排水管の各吐出部には排水を利用する洗濯機の洗濯槽や水洗トイレ集水タンクや消火栓に接続されてなることを特徴とする。
【０００８】排水管の途中に止水弁や、逆止弁を取付けたことにより、排水通路の途中に設ける貯水タンクを不要にして、家庭内の風呂、台所、洗面台等から排出される排水や貯水槽の貯留水を水洗トイレの洗浄水や洗濯用水その他消火水として分配供給できる。
【０００９】また、本考案の排水供給装置は、前記集水槽の外部に配置して同集水槽に吸込み部が接続される前記汲み上げ用の水中ポンプが、同水中ポンプの吐出部に一端が接続され中途で二方向に分岐して他端の片側にはフロートを介して作動するエアー抜き弁と同他端の他側には逆止弁を組み合わせた排水口とを有する排出管と、前記排出管の吐出部と二方向の分岐部との中途にエアー抜き穴を設けて前記ポンプの吸い込み部に連通させてポンプの空運転を防止できるようにしたことを特徴とする。
【００１０】更に、本考案の排水供給装置は、水中ポンプを前記集水槽内に配置して同集水槽で吸込んだ排水の吐出部に一端が接続され中途で二方向に分岐した片側には止水弁を、同他端の他側には逆止弁を有する排出管として前記ポンプの吸い込み部に連通させたことにより、ポンプの空運転を防止できるようにした。
【００１１】また、本考案の排水供給装置は、前記消火栓が接続される排水管には前記ポンプによって供給された排水を貯める供給先の貯水タンク内の排水の水位を検知するフロートセンサー（ロータンクのセンサ）を備え、該センサによって前記貯水タンク内の貯水が所定量以上になったことが検知されると、フロートセンサーを介して前記ポンプを停止させるようにすることができる。これにより、供給先の貯水タンクのオーバーフローを防止できる。
【考案を実施するための最良の形態】
【００１２】以下、図面に示す実施例に基づき本考案の実施の形態を説明する。【００１３】図１は、本考案に係る排水供給装置の一実施例を示す構成図である。図２は図１における排水管の中途に消火栓を取付けた様子を示す概略説明図、図３は図２おける手動式の水中ポンプのｏｎ−ｏｆｆ切り替えスイッチの詳細を示す側面図である。【００１４】図１に図示する如く、本実施例では、ポンプ強制装置１を浴槽８の外に配置し排水管１０の一端が浴槽８内の水を送水先に送出すエア抜き弁２付のポンプ強制装置１の吐出部に接続されている。更に、この排水管１０は、その途中で、２つに分岐し、一方のＡ管には止水弁（電磁弁）３が、他方のＢ管には、逆止弁４と消火栓５が取付けてあり、またＡ管の送水先は洗濯機７に、Ｂ管の送水先はトイレ６の水洗タンク６ａに繋げてある。図１中に破線で図示するように水中ポンプを直接、浴槽８の中に取付けても良いことは言うまでもない。更に、本実施例では、図２に図示するように、排水管１０のＢ管の中途に消火栓５を取付け、防火器（消火用ノズルとホース）５ｂをワンタッチで消火栓５に着脱できるようにした。また、通常は風呂の残り水を洗濯用水及び水洗トイレの洗浄水へフロートセンサ９を介して、自動的に切換え分配供給するようになっているが、火事などの非常時には、図３に図示の水中ポンプのｏｎ−ｏｆｆ切り替えスイッチ５ａを手動式に切換えてポンプ強制装置を作動させることも出来る。【００１５】次に、図１〜３を参照し本考案の排水供給装置の主要構成部品の動作について説明する。排水供給装置は直接、集水タンクや浴槽に汲み上げポンプを入れた場合と、集水槽の外部に前記汲み上げ用の水中ポンプを配置して集水タンクや浴槽から水を抜き取る場合がある。【００１６】止水弁３について：集水タンク浴槽から直接汲み上げる場合は、エアー抜き弁２または、エアー止め弁２ｂを利用しなければならない。【００１７】  集水タンク浴槽よりポンプ強制装置１を利用する場合は、図１に図示するように、エアー抜き弁２、エアー止め弁２ｂを利用しなければならない。【００１８】止水弁（電磁弁）３を利用する場合は、洗濯機７に内蔵のポンプ（図示省略）の電源を利用すると全自動になる。手動の止水弁３を利用する場合は、洗濯機７の使用時のみ手動の止水弁３を開閉しなければならない。洗濯機７が自動（ポンプが内蔵されていてない場合）でない時は、止水弁３が洗濯機７とトイレ６の双方に必要である。この場合は逆止弁４は不要となる。【００１９】  更に洗濯機７とトイレ６を同時に利用する場合は、トイレ用の汲み上げポンプと、洗濯機７に内蔵のポンプが同時に作動するので、排水管１０が２つに分岐したＡ管とＢ管の管内径を大小（抵抗）に変えて、水量を調整する。【００２０】洗濯機７が自動で無い場合は、浴槽内の汲み上げポンプ８だけしか作動しない為に、止水弁３の開閉をして、トイレ用と洗濯用に使い分ける。【００２１】  また、トイレ側の逆止弁４は洗濯機７に内蔵のポンプが作動した時にエアーを管の中に引き込まないように閉じるようになっている。常に水圧または、スプリングにより圧がかかっている状態であり、汲み上げポンプが作動した時は、逆止弁４を押し上げ、トイレ６に水を流す役目をする。【００２２】  図２に図示のワンタッチ防火器は、図１の排水管１０のＢ管途中の消火栓５を介して、災害や家事など、いざという時に利用できる装置である。この装置は、再利用水装置または、水道水（水道管）に接続できることは言うまでもない。【００２３】図示省略のロータンクに取付けてある水位（フロート）９センサーのコード（＋−どちらでもよい）を、図２に図示の二方弁５Ａのハンドルに接続して、ハンドルを回すと図３に拡大図示するように、水中ポンプのｏｎ−ｏｆｆ切り替えスイッチが、常にＯＮまたは、ＯＦＦになるように調整する。【００２４】図３に図示のｏｎ−ｏｆｆ切り替えスイッチは、スイッチの電喰に対処する予備スイッチも設けた事例である。【００２５】  また、図示省略の水道管を利用する場合は、手でハンドルを回すだけでよい。
ワンタッチ用の防火器５ｂ（消火用ノズルとホース）のホースは、ポンプまたは水道圧に応じて内径強度を定める。【００２６】  なお、防火器５ｂのワンタッチ部分は、消火栓５に簡単に差し込まれる。
また、ワンタッチ部分を消火栓５外すときは留めを押さえれば簡単に外れるように工夫されている。【００２７】  以上、本考案の実施例を説明したが、本考案はこの実施例に限定されるものではない
【考案の効果】
【００２８】本考案によれば、排水供給装置は、浴槽や貯水槽からなる集水槽に排水汲み上げ用の水中ポンプの吸込み部を接続し、同水中ポンプの吐出部には、一端が接続され中途で複数方向（少なくとも二方向以上）に分岐し、分岐した一側の途中には止水弁を、他側の途中には逆止弁を有する排水管として、排水通路の途中に設ける貯水タンクを不要にして、家庭内の風呂、台所、洗面台等から排出される排水や貯水槽の貯留水を水洗トイレの洗浄水や洗濯用水その他消火水として分配供給できる。
【００２９】更に、本考案の排水供給装置は、ポンプ強制装置を前記集水槽の外部に配置し、同集水槽に同ポンプ強制装置の吸込み部を接続し、同ポンプ強制装置の吐出部を排出管に接続したので、ポンプの空運転を防止できる。
【００３０】また、供給先の貯水水タンク内の水位を検知するフロートセンサを備えたので、供給先の貯水タンクのオーバーフローを防止できる。
【図面の簡単な説明】
【図１】本考案の排水供給装置の構成図である。
【図２】図１における排水管の中途に消火栓を取付けた様子を示す概略説明図である。
【図３】図２における手動式水中ポンプのｏｎ−ｏｆｆ切り替えスイッチの詳細側面図である。
【符号の説明】
１・・・・・・ポンプ強制装置
２・・・・・・エア抜き弁（排水時に吸い込んだエアーを排出する）
２ｂ・・・・・・エア抜き弁のエア止弁（エアーの吸い込み防止）
３・・・・・・止水弁（電磁弁）
４・・・・・・逆止弁
５・・・・・・消火栓
５ａ・・・・・・水中ポンプのｏｎ−ｏｆｆ切り替えスイッチ
５ｂ・・・・・・防火器（消火用ノズルとホース）
６・・・・・・トイレ
６ａ・・・・・・トイレの水洗タンク
７・・・・・・洗濯機
８・・・・・・浴槽
９・・・・・・フロートセンサ
１０・・・・・・排水管
１０ａ  排水口
【図１】
0003115273.tif 000003
【図２】
0003115273.tif 000004
【図３】
0003115273.tif 000005